(57)【特許請求の範囲】
【請求項１】
主成分が下記の組成（ｉ）を有する無機材料Ａ、副成分が下記の組成（ｉｉ）を有する無機材料Ｂおよびシンメストーンよりなり、さらに下記の（ｉｉｉ）および（ｉｖ）の特徴を有することを特徴とする消臭剤。
（ｉ）無機材料Ａ：シリカ；７０ないし８０重量％、酸化ナトリウム；１ないし５重量％、アルミナ；１０ないし２０重量％、酸化カリウム；１ないし５重量％、酸化カルシウム；０．５ないし２重量％、酸化鉄；１ないし２重量％
（ｉｉ）無機材料Ｂ：酸化鉄；５０ないし６５重量％、酸化ナトリウム；０．５ないし１．５重量％、アルミナ；３．５ないし４．５重量％、シリカ；５ないし６．５重量％、酸化マグネシウム；５．５ないし７重量％、酸化マンガン；４．５ないし６重量％、酸化コバルト；２ないし３．５重量％、酸化銅；４ないし５．５重量％、酸化亜鉛；５ないし６重量％および酸化バリウム；６ないし７．５重量％
（ｉｉｉ）
無機材料Ａと無機材料Ｂの使用割合（重量）：８；２ないし９；１。
無機材料Ａ＋無機材料Ｂとシンメストーンの使用割合（重量）：２；１。
（ｉｖ）
無機材料Ａと無機材料Ｂの形状：粒状、球状、ペレット、ラシヒリング状、タイル状、円柱状、角柱状、円錐状、角錐状、板状のいずれかの形状
シンメストーンの形状：砕石の形状
【請求項２】
副成分としてさらにトルマリンおよび活性炭を含んでなる請求項１に記載された消臭剤。
【請求項３】
前記活性炭がスポンジ状マットの形態で存在する請求項２に記載された消臭剤。
【請求項４】
消臭剤が自動車用の消臭剤であることを特徴とする請求項１ないし３に記載された消臭剤。
【請求項５】
消臭剤が動物飼育室用の消臭剤であることを特徴とする請求項１ないし３に記載された消臭剤。
【請求項６】
消臭剤がトイレ用消臭剤であることを特徴とする請求項１ないし３に記載された消臭剤。
【請求項７】
前記トイレ用消臭剤が航空機のトイレ用消臭剤であることを特徴とする請求項６に記載された消臭剤。
【請求項８】
前記トイレ用消臭剤が鉄道車両のトイレ用消臭剤であることを特徴とする請求項６に記載された消臭剤。
【請求項９】
消臭剤が冷蔵庫用および／または冷凍庫用の消臭剤であることを特徴とする請求項１ないし３に記載された消臭剤。
【請求項１０】
請求項１ないし３のいずれか１つに記載された消臭剤を用いて臭気あるいは悪臭の原因物質を除去することを特徴とする消臭方法。
【請求項１１】
前記消臭方法において、ファンを併用して消臭することを特徴とする請求項１０に記載された消臭方法。
【発明の詳細な説明】
【０００１】
本願発明は消臭用材料ないし消臭剤およびそれを使用した消臭方法に関するものである。
【０００２】
人々の快適な生活環境とか勤務環境などを保持するための一つの要因は、その環境から悪臭とか臭気を一時的にではなく永続的に取り除いて、その良好な環境を持続させることが必要となってくる。このような観点から大気汚染防止の技術をはじめとして各種の臭気、悪臭の除去技術などが求められている。
【０００３】
このような臭気とか悪臭を除去するためには、脱臭剤ないし消臭剤と呼ばれる除去剤を使用することになるが、この消臭剤が具体的にどのような原理に基づいているのかを列記すると、一般につぎのような原理に基づいて消臭・脱臭が行われている。
【０００４】
▲１▼芳香系消臭剤とか木酢液など臭いの強い調合香料や天然産物によるマスキング作用、および、しょう脳油、針葉油、ユーカリ油などの樹油を用途に応じてブレンドして臭いを感覚的に中和して脱臭する中和作用に基づく感覚的脱臭、
▲２▼硫酸第２鉄などの硫酸鉄や塩化鉄を用いて硫化水素などの原因物質を除去する脱硫作用、および、酸剤、アルカリ剤、酸化剤、還元剤により原因物質を除去する化学反応作用、および、ラウリルメタアクリレート、フマール酸エステルなどの物質を用いて原因物質を除去する付加、重合作用、および、スルフォン化石炭など極性のあるイオン交換の能力を有する化学物質を用いて原因物質を除去するイオン交換作用に基づく化学的脱臭、
▲３▼脱臭用樹脂、活性炭を酸・アルカリ剤などで表面処理したものを用いて原因物質を除去する薬剤添加吸着作用に基づく物理的・化学的脱臭、
▲４▼活性炭、ゼオライト、シリカゲルなどの多孔質表面上に原因物質を物理吸着により除去する吸着作用、および、界面活性剤など物質により原因物質を除去する吸収作用に基づく物理的脱臭、
▲５▼消化酵素や細菌および酵母を用いて、し尿などの有機物を分解脱臭する酵素作用、および、逆性石けん、両性活性剤、エチレングリコール、Ｇ−１１などの殺菌作用に基づく生物的脱臭、
▲６▼その他の上記原理に基づかない脱臭。
【０００５】
従来より肉加工、パルプ工業、医薬品工場、脂肪の精製プラントなどの産業施設とか工業施設は悪臭の大きな発生源として問題とされているところから、これを除去して大気に漏れないように多大の技術的努力が払われているのが現状である。このような産業ないし工業上の臭気の他に、さらに身近かな問題として、家庭・ビル・航空機・鉄道車両などにおけるトイレの臭気、写真現像室での臭気、冷蔵庫の臭気、自動車などの乗り物でのタバコなどの臭気をどのように除去すればよいのかということが課題となっている。工業的な場合には洗浄処理、吸着処理、化学反応処理などの相当大がかりな設備や装置を組み合わせたプラント類て処理して悪臭の除去を行えばよいが、これらの場合には、各種各様の工夫とか提案が多数なされているものの、非常に小型でなければならないとかいろいろな装置を組み合わせることができないなどの多くの制約があり、効果が上がっていないのが現状である。
【０００６】
たとえば、冷蔵庫の場合には、脱臭剤としていろいろなものが市販されているが、これらは活性炭を主体とするものであり、効果が持続しないとか、ひんぱんに開閉が行われるため、十分な効果が発揮されないなどの問題がある。
【０００７】
トイレの場合には、液体の薬剤が市販されているが、一日に何度となく散布しなければならないし、またエアゾールタイフのものはその都度ごとに散布するとかしなければならないし、エアゾール成分が問題とされる場合もあっていまいちであるし、家庭のトイレ以外の場合にはこのようなことは実質上困難である。さらに、いったん臭気が空間に拡散してしまうと、その除去は困難を極めるものであり、実際上不可能となる場合がほとんどである。
【０００８】
また、写真の現像室では、写真の現像処理に伴ういろいろの臭気が発生し、室内が暗室下に保たなければならないという制約もあって、臭気がこもりやすく、有効な臭気除去手段が見つかっていないのが現状である。
【０００９】
一方、脱臭剤に使用されている材料自体についてみてみると、一般的に広く使われているものは活性炭である。たとえば、建物中の空気から、人間の体臭、タバコや調理の臭い、生産工程で発生する臭気や刺激物などを除去するための空調システムばかりでなく、冷蔵庫の脱臭剤などにも使用されている。
【００１０】
この活性炭は、原料炭素を薬品処理して賦活するとか、ガスによる賦活法などにより活性化して製造されている。そして、その形態も粒状の物を中心として、場合によって繊維状のものとあわせて使用することが行われている。しかしながら、活性炭は基本的に臭気を吸着により除去するため、臭気除去の点からみると吸着現象と吸着量の限界からその除去が現実問題としてあまり有効に行われていないということは日常生活でよく経験していることである。
【００１１】
このような観点から、従来より有効な消臭剤を探求していたところ、偶然にも従来のタイプとはまったく異なる消臭剤となる材料を発見するとともに、これらを組み合わせることによって、従来にはない消臭効果を達成することができ、本願発明にいたったものである。本願発明に係る消臭用材料ないし消臭剤は、空気中に拡散している悪臭ないし臭気の消臭に特に有効である。
【００１２】
本願発明は、主成分として無機材料Ａ、副成分として無機材料Ｂおよびシンメストーンよりなる組成を有することを特徴とする消臭剤に関するものであって、ここで、無機材料Ａは、主成分がシリカ、副成分が酸化ナトリウム、アルミナ、酸化カリウム、酸化カルシウムおよび酸化鉄よりなる無機材料であり、無機材料Ｂは、主成分が酸化鉄、副成分が酸化ナトリウム、アルミナ、シリカ、酸化マグネシウム、酸化マンガン、酸化コバルト、酸化銅、酸化亜鉛および酸化バリウムよりなる無機材料である。
より詳しくは、
主成分が下記の組成（ｉ）を有する無機材料Ａ、副成分が下記の組成（ｉｉ）を有する無機材料Ｂおよびシンメストーンよりなり、さらに下記の（ｉｉｉ）および（ｉｖ）の特徴を有することを特徴とする消臭剤に関する。
（ｉ）無機材料Ａ：シリカ；７０ないし８０重量％、酸化ナトリウム；１ないし５重量％、アルミナ；１０ないし２０重量％、酸化カリウム；１ないし５重量％、酸化カルシウム；０．５ないし２重量％、酸化鉄；１ないし２重量％
（ｉｉ）無機材料Ｂ：酸化鉄；５０ないし６５重量％、酸化ナトリウム；０．５ないし１．５重量％、アルミナ；３．５ないし４．５重量％、シリカ；５ないし６．５重量％、酸化マグネシウム；５．５ないし７重量％、酸化マンガン；４．５ないし６重量％、酸化コバルト；２ないし３．５重量％、酸化銅；４ないし５．５重量％、酸化亜鉛；５ないし６重量％および酸化バリウム；６ないし７．５重量％
（ｉｉｉ）
無機材料Ａと無機材料Ｂの使用割合（重量）：８；２ないし９；１。
無機材料Ａ＋無機材料Ｂとシンメストーンの使用割合（重量）：２；１。
（ｉｖ）
無機材料Ａと無機材料Ｂの形状：粒状、球状、ペレット、ラシヒリング状、タイル状、円柱状、角柱状、円錐状、角錐状、板状のいずれかの形状
シンメストーンの形状：砕石の形状
【００１３】
さらに、上記の消臭剤において、副成分としてさらにトルマリンおよび活性炭を含んでなる消臭剤に関するものであり、さらにまた本願発明は、これらの消臭剤を用いた消臭方法に関するものである。
本願発明の消臭剤は、通常の家庭や事務室における消臭ばかりではなく、自動車室内、鉄道車両や航空機などのトイレ室内、冷蔵庫や冷凍庫の室内など非常に取れにくい臭気の発生場所の消臭にとくに効果がある。
【００１４】
本願発明で使用する無機材料Ａおよび無機材料Ｂを製造する際にはどうしても不純物が入り込むため、材質の影響のない限度で不純物を含むことができる。
【００１５】
本願発明は上記のような構成をとることにより従来にはない優れた消臭効果を達成することができたものであって、この消臭がどのような原理に基づいてなされるのかはっきりしないが、従来の消臭の原理の区分からすると▲６▼その他の上記原理に基づかない脱臭に属するものであろう。
【００１６】
またこれらの消臭用材料、消臭剤、消臭方法は、自動車などの車両の室内、車両および航空機を含めたトイレ、冷蔵庫・冷凍庫、写真現像室、動物を飼育している室などの臭気や悪臭の除去に特に有効である。
【００１７】
これらの無機材料Ａ、無機材料Ｂおよびシンメストーンそれぞれ単独で消臭効果があるのかどうかを検討したところ、単独で使用してもある程度の消臭効果はあるものの本願発明のような強力な消臭作用を期待することはできないものである。
【００１８】
本願発明では基本的な組成としてこの３種類の材料を併用することによってきわめて優れた消臭効果を達成することができ、さらに２種類の物質を添加してさらにその効果を高めようとするものである。
【００１９】
本願発明で使用する成分について説明する。
無機材料Ａは、主成分がシリカ（ＳｉＯ2）、副成分が酸化ナトリウム（Ｎａ2Ｏ）、アルミナ（Ａｌ2Ｏ3）、酸化カリウム（Ｋ2Ｏ）、酸化カルシウム（ＣａＯ）および酸化鉄（Ｆｅ2Ｏ3）よりなり、白色のセラミックスである。
【００２０】
その組成割合は、好ましくは、シリカ；７０ないし８０重量％、より好ましくは７２ないし７７重量％、酸化ナトリウム；１ないし５重量％、より好ましくは１ないし３重量％、アルミナ；１０ないし２０重量％、より好ましくは１４ないし１９重量％、酸化カリウム；１ないし５重量％、より好ましくは１．５ないし４重量％、酸化カルシウム；０．５ないし２重量％、より好ましくは１ないし２重量％、酸化鉄；１ないし２重量％、より好ましくは１．１ないし１．７重量％である。
【００２１】
この無機材料Ａを製造する方法の１例は、合成ゼオライト、ホウフッ石、シャバサイト、クリノプチロライトーキフッ石、エリオナイト、フェリエライト、ダクフッ石、モルデナイト（モルデンフッ石）、カイジュウジフッ石、ホウ素鉱物、ホウ砂、ホウ酸、クレー、カオリン、ベントナイト、酸性白土、活性白土、アタパルジャイト（パリゴルスカイト）、セピオライト、けい藻土、絹雲母、アルミナ、亜鉛、軽石、骨灰、炭酸カルシウム、殺菌能力をもつセラミックス、炭素材からなる原材料（アルカリ土類金属を含む珪酸塩はビタミンを吸蔵しておいたものを使用する。）の群から選ばれた原材料を適宜組み合わせて混練、成型、乾燥、焼成して製造すればよいものである。
【００２２】
このようにして製造した無機材料Ａの組成分析の１例は、重量比で、つぎのとおりである。
【００２３】
ＳｉＯ2：７６．９９％、Ａｌ2Ｏ3：１４．４２％、Ｆｅ2Ｏ3：１．２７％、ＣａＯ：１．４０％、Ｋ2Ｏ：１．９５％、Ｎａ2Ｏ：１．１５％、ＴｉＯ2：０．０１％、ＭｎＯ：０．０１％、Ｂ2Ｏ3：０．０１％、ＭｇＯ：０．２６％、ＺｎＯ：０．９８％、ＺｒＯ3：０．０２％、Ｉｇ．Ｌｏｓｓ：０．３２％，Ｃ：０．３９％，Ｈ2Ｏ：０．７％で、ｐＨは７．４〜８．０である。ただし、これには不純物が含まれている。
【００２４】
無機材料Ｂは、主成分が酸化鉄（Ｆｅ2Ｏ3）、副成分が酸化ナトリウム（Ｎａ2Ｏ）、アルミナ（Ａｌ2Ｏ3）、シリカ（ＳｉＯ2）、酸化マグネシウム（ＭｇＯ）、酸化マンガン（ＭｎＯ）、酸化コバルト（Ｃｏ2Ｏ3）、酸化銅（ＣｕＯ）、酸化亜鉛（ＺｎＯ）および酸化バリウム（ＢａＯ）よりなり、黒色のセラミックスである。
【００２５】
その組成割合は、好ましくは、酸化鉄；５０ないし６５重量％、より好ましくは５５ないし６０重量％、酸化ナトリウム；０．５ないし１．５重量％、より好ましくは１ないし１．４重量％、アルミナ；３．５ないし４．５重量％、より好ましくは３．８ないし４．３重量％、シリカ；５ないし６．５重量％、より好ましくは５．６ないし６．１重量％、酸化マグネシウム；５．５ないし７重量％、より好ましくは６ないし６．５重量％、酸化マンガン；４．５ないし６重量％、より好ましくは５ないし５．５重量％、酸化コバルト；２ないし３．５重量％、より好ましくは２．５ないし３重量％、酸化銅；４ないし５．５重量％、より好ましくは４．５ないし４．９重量％、酸化亜鉛；５ないし６重量％、より好ましくは５．４ないし５．８重量％、および酸化バリウム；６ないし７．５重量％、より好ましくは６．８ないし７．２重量％である。
【００２６】
この無機材料Ｂはあまり多く使用すると逆に消臭効果が減少する傾向があるので、無機材料Ａと無機材料Ｂ使用比率は多くとも８；２、特に好ましくは９；１程度である。
【００２７】
シンメストーンは、北海道檜山郡上ノ国町湯ノ岱所在の平成上ノ国鉱山から産出されるシリカ鉱物で、湯ノ岱が通称神明などともいわれているところからこのように名付けられており、外観が黒色の鉱物であるところからシリカブラックとも称されているものである。
【００２８】
トルマリンは、宝石としても用いられるものもあるが、化学組成は複雑なホウけい酸塩をもつものである。
【００２９】
つぎに、本願発明で使用する各成分とその混合物について、ＭＲＡ測定装置（測定機種；ＭＲＡ−１オリジナル）により、悪臭の固有磁気（ＭＲＡ）を測定したところ以下の表１のとおりである。
【００３０】
【表１】
0004072835.tif 000002
注１；無機材料Ａ＋無機材料Ｂの場合は、９；１の配合
注２；無機材料Ｂ＋シンメストーンの場合は、１０；５５．５の配合
注３；無機材料Ａ＋無機材料Ｂ＋シンメストーンの場合は、９；１；５の配合であって、ファンを使用した通気中のデータである。
【００３１】
この測定値からみると、無機材料Ａと無機材料Ｂのそれぞれ単独の数値は４０内外であり、これを９；１の配合割合としてもほとんど変化がないし、無機材料Ｂとシンメストーンの割合を約１；５としたものは逆に無機材料Ｂ単独のものより極端に下がってしまっている。しかし、無機材料Ａと無機材料Ｂにシンメストーンを加えると異常に高い固有磁気の値となることが分かる。つまり、この３種類からなる材料は、消臭効果が各成分のもの、あるいは、２種類の成分のものに比べて非常に高く、併用する効果がきわめて顕著であって、消臭剤としてきわめて優れたものであることが判明した。これが本願発明の材料ないし消臭剤の基本組成である。
【００３２】
さらに、上述の３種類の物質の材料に副成分としてトルマリンおよび活性炭の２種類の物質を添加すると、さらに消臭効果が向上することが分かった。
この場合、活性炭は、粒状とか顆粒状などのものばかりではなく、繊維状の形態ないしスポンジ状のマット形状のものであっても本願発明の対象となり、優れた効果を発揮する。
【００３３】
さらに、本願発明の消臭剤ないし消臭用材料に、アルミナ、シリカゲル、シリカ、マグネシア、モレキュラーシーブ、ボーンチャー、白土などの従来より公知の充填剤ないし吸着剤などをさらに添加して使用してもよい。あるいは、プラスチックのビーズ、ペレット、ラシヒリング、繊維状物、不織布状物などの形状をした物を充填剤、保持剤あるいは増量剤として混合して使用してもよい。
【００３４】
本願発明の消臭剤ないし消臭用材料は、その成分である無機材料Ａおよび無機材料Ｂを、粒状、球状、ペレット、ラシヒリング状、タイル状、円柱状、角柱状、円錐状、角錐状、板状などの形状にして使用してもよいし、ある程度の粒度の物を、たとえば不織布状物を構成する繊維の表面に付着させて使用してもよいし、不織布状物の層の間に挟み込んだ形態にして使用してもよい。円柱状の形状の場合たとえば直径３ないし５ｍｍ、長さ１０ｍｍ程度あるいはこれより大きいものも使用目的に合わせて使用することができる。さらに、粉末状の場合、不織布状物に担持させて使用することもできるし、不織布を構成する繊維の表面に付着させて使用してもよい。
【００３５】
また、シンメストーンとトルマリンはそれぞれ天然鉱物のものをそのまま使用するものであり、ある大きさに砕石された状態のものをそのまま使用するのが好ましい。大きさとしても厚さ４ないし５ｍｍ、幅４ないし６、長さ７ないし１０ｍｍ程度あるいはこれより大きいものであっても使用目的に応じて使用することができる。また、粉末状のものを接着剤などを用いて所望の形状に成型したものにして使用することもできるし、不織布状物を構成する繊維の表面に付着させて使用することもできる。これらの材料は、無機材料Ａおよび無機材料Ｂと混合してそのまま使用することもできるし、不織布状物の層の間に挟み込んだ形態にして使用することもできる。
【００３６】
さらに活性炭は、各種の形態のものに成型して使用することができる。粒状、球状、ペレット、ラシヒリング状、タイル状、円柱状、角柱状、円錐状、角錐状、板状などの形状にして使用してもよいし、ある程度の粒度の物を、たとえば不織布状物を構成する繊維の表面に付着させて使用してもよいし、不織布状物の層の間に挟み込んだ形態にして使用してもよい。さらに、活性炭を繊維状のもの、およびこの繊維状のものを不織布状のものとしたもの、あるいはスポンジ状のマット形状のものとして使用することもできる。
【００３７】
また、構成成分の材料のすべてを適当な粒度の大きさの形状とし、それら混合して使用してもよい。しかし、あまり小さな粒度のものとすると、消臭剤の層を通過する空気などの流体に圧力をかけなければならないから、それほど小さなものとする必要はないが、適用の形態によりその大きさなり粒度を適宜選択することができることはもちろんである。
【００３８】
つぎに、消臭方法について説明する。
これらの消臭用材料ないし消臭剤を使用して消臭する場合、単に消臭したい箇所に消臭用材料や消臭剤をそのまま置いても効果があるが、より効果があるのは消臭しようとする雰囲気中でファンを用いて強制的に雰囲気の空気を消臭用材料ないし消臭剤の中を通過させて消臭を行うことである。そして、ファンの前後に消臭用材料ないし消臭剤を配置した構造をとるのがいちばん好ましいものである。そして、このような構造を採用して消臭装置を建築部材・車両部材自動車部材などの形態にすると、室内とか車両・航空機などの目的とする箇所に設置することが容易となるので、このような形態で使用することが最も好ましい。
さらに、置き時計のように、いろいろな装飾を施した、あるいはいろいろな形の置物タイプとして使用しても非常に便利である。
【００３９】
以下に、本願発明の消臭用材料あるいは消臭剤を使用した消臭効果の確認の実施例を示すが、本願発明がこの実施例のみに限定されるものでない。
【００４０】
実施例１
円柱状に成形した無機材料Ａと、同じく円柱状に成形した無機材料Ｂと相当大きな形に破砕したシンメストーンの３種類の物質を混合した消臭用材料（１）と、さらに（１）の材料にトルマリンの砕石物と活性炭の粒状物を混合した消臭用材料（２）をそれぞれ別に容器に詰めた。容器は高さの短い筒状体であって、上面部と下面部にはそれぞれ網状物が設けられ、内容物を保持している。
消臭用材料（１）を詰めた容器を小型ファンの前後に装着して小型の消臭装置を組み立て、写真現像室内で消臭処理を行った。同様に、消臭用材料（２）を詰めた容器を小型ファンの前後に装着して小型の消臭装置を組み立て、写真現像室内で消臭処理を行った。
このようにして組み立てた２種類の消臭装置を使用して、ファンを回し現像室内の消臭の効果確認を別々に行ったところ、両者とも程なくして消臭効果が現れはじめ、２ないし３時間で室内の臭気がなくなった。これを１カ月以上続けても消臭効果は持続した。
この場合、消臭用材料（１）を使用して消臭を行った場合と消臭用材料（２）を使用して消臭を行った場合とを比較すると、消臭用材料（２）を使用した場合の方が消臭用材料（１）の場合よりも短かい時間で消臭した。
通常、現像室内の消臭はきわめて難しいにもかかわらず、きわめて効果的に消臭を行うことができ、それも相当長期間持続するものである。
また、現像装置を設置してある部屋では、現像装置からどうしても酢酸などの臭気が漏れ、作業環境が悪くなるが、本願発明の消臭剤を使用して消臭したところ現像室と同様に容易に臭気がなくなった。
【００４１】
実施例２
実施例１で使用した小型の消臭処理装置と同じものを一般の乗用車の車内の前面に取り付け、消臭処理を行いながら車の運転を行った。
乗用車中のタバコの臭いを中心とする臭気はなかなかとれにくいが、この消臭剤は、非常に効果的に消臭することができ、１カ月以上使用しても効果が持続している。
また、中古車の場合には中古車固有の臭気とタバコの臭いが複合した臭気が存在して従来の脱臭剤ではとれないものが、本願の消臭剤を使用したところ両方の臭いとも２時間ほどで消臭することができた。
自動車の場合には電源を、カーバッテリーからとるためにバッテリーの負担を軽くするためになるべく低い電圧で消臭装置を稼働させなければならず、通常は１２Ｖで使用するところを５Ｖの電圧でファンの出力を落としてテストしても消臭効果は変化しなかった。いずれの場合も１月以上使用しても効果が持続することを確認した。
【００４２】
実施例３
実施例１で使用したものよりもさらに小型にした消臭装置を組み立て、冷蔵庫内の脱臭作用をテストした。この場合もファンを回し始めるとほどなく消臭効果を発揮し、２時間すると臭気がなくなった。そして、効果も１月以上持続することを確認した。
【００４３】
実施例４
本願の消臭剤を使用して動物を飼育している部屋の動物からでる特有の臭気の消臭テストを行った。犬とか猫、さらに鳥の場合には大体３０分ほどで消臭する効果を発揮した。
さらに、干物などの乾物を保存してある戸棚、保存庫などの臭気は壁などにしみついてしまいきわめてとりにくいが、この場合も１晩ほどで完全に消臭がなされるという効果が発揮された。
さらにまた、トイレの臭気の消臭についてテストを行ったところ、完全に消臭が実現された。
【００４４】
本願発明の消臭用材料ないし消臭剤は、どのくらい効果が持続するのかはっきりしないが、数カ月にわたる効果の確認作業中でも、その効果が持続しており、通常の消臭剤では考えられない長寿命の消臭剤であることが分かっている。